(57)【特許請求の範囲】
【請求項１】
車輪と同軸に配置されたブレーキロータと、このブレーキロータに接触させる摩擦材と、この摩擦材を動作させる摩擦材駆動機構とを備えたブレーキ装置を制御するアンチロックブレーキ制御装置であって、
前記車輪の角度、角速度、および角加速度の何れか１つ以上を推定する車輪運動推定手段と、
この車輪運動推定手段の推定結果を用いて接地面に対する前記車輪の滑り状態を推定する滑り推定手段と、
この滑り推定手段により推定された前記車輪の滑り状態に応じて前記摩擦材駆動機構に制動力を低下させる指令を与えるアンチロック制御手段とを備え、
前記滑り推定手段は、前記車輪運動推定手段の推定結果に対する遅れ補償を行う遅れ補償器を１つ以上有し、前記車輪の滑り状態の推定結果として、遅れ補償につき互いに異なる複数の推定結果を出力し、
前記アンチロック制御手段は、前記滑り推定手段から出力された前記複数の推定結果の比較を含む所定の判断の結果によって前記制動力を低下させる指令を与える、
ことを特徴とするアンチロックブレーキ制御装置。
【請求項２】
請求項１に記載のアンチロックブレーキ制御装置において、前記滑り推定手段は、前記遅れ補償器として、周波数特性の互いに異なる二つ以上の遅れ補償器を有し、前記アンチロック制御手段は、前記複数の推定結果の比較を、前記異なる遅れ補償器を介した推定結果の差分、またはこの差分の積算値の何れかによって行うアンチロックブレーキ制御装置。
【請求項３】
請求項１に記載のアンチロックブレーキ制御装置において、前記アンチロック制御手段は、前記複数の推定結果の比較を、前記遅れ補償器を介した前記滑り推定結果と、前記遅れ補償器を介さない前記推定結果との差分、またはこの差分の積算値との何れかによって行うアンチロックブレーキ制御装置。
【請求項４】
請求項１ないし請求項３のいずれか１項に記載のアンチロックブレーキ制御装置において、前記遅れ補償器が、運動方程式を介した推定出力と前記遅れ補償器からの出力との誤差補正フィードバック要素を含む状態推定器であるアンチロックブレーキ制御装置。 
【請求項５】
請求項１ないし請求項３のいずれか１項に記載のアンチロックブレーキ制御装置において、前記遅れ補償器が、所定の周波数を超える周波数を減衰させるローパスフィルタであるアンチロックブレーキ制御装置。
【請求項６】
請求項１ないし請求項５のいずれか１項に記載のアンチロックブレーキ制御装置において、前記アンチロック制御手段は、前記滑り推定手段から出力された前記複数の推定結果の比較による判断よりも前に、前記滑り推定手段から出力された遅れ補償を行っていない出力が閾値以上となる場合も、前記制動力を低下させる指令を与えるアンチロックブレーキ制御装置。
【請求項７】
請求項１ないし請求項６のいずれか１項に記載のアンチロックブレーキ制御装置において、前記ブレーキ装置が電動ブレーキ装置であるアンチロックブレーキ制御装置。
【発明の詳細な説明】
【技術分野】
【０００１】
この発明は、自動車等の車両のブレーキを制御するアンチロックブレーキ制御装置に関する。
【背景技術】
【０００２】
従来、ブレーキのＡＢＳ（アンチロックブレーキシステム）の制御手法として、以下の発明が提案されている。
・踏力の変化量に応じてＡＢＳ開始の閾値を変更するＡＢＳ制御（特許文献１）。
・踏力の変化量に応じて車輪減速度の上限値を調整するＡＢＳ制御（特許文献２）。
【先行技術文献】
【特許文献】
【０００３】
【特許文献１】特開昭６４−６３４４８号公報
【特許文献２】特開平４−２９３６５４号公報
【発明の概要】
【発明が解決しようとする課題】
【０００４】
アンチロック制御装置において、車両の制動距離短縮のためには、車輪がスリップ傾向にあることを迅速かつ正確に判断することが求められる。
例えば、スリップ率を推定し閾値との比較によって前記スリップ傾向を判断する場合、誤動作を防止するために、前記スリップ率閾値は路面状態の推定誤差や、車輪速センサの推定誤差・ノイズ等の影響を考慮し、スリップ傾向が十分強まった状態をもって判断する必要が有る。前記ノイズについては、例えばローパスフィルタによって除去できるが、前記ローパスフィルタによる遅延が検出遅れとなる。
【０００５】
特許文献１，２のような、踏力の変化に応じてスリップ傾向の判断の厳しさを調整する場合、例えば、タイヤが高負荷時から緩やかなブレーキ踏力上昇によってスリップ傾向に移行する際、あるいはブレーキ踏力に変化が小さい場合から路面変動によりスリップ傾向に移行する場合、前記の処理によりアンチロックブレーキ動作を開始するタイミングが遅れる問題がある。また、車両操縦者は意図しなくとも、車両の振動やペダルを操作する足の震えなどでブレーキ踏力変化が大きく出てしまう場合もあり、誤検出防止の為に、結局はアンチロックブレーキ動作の開始のタイミングを保守的に設計せざるを得なくなる可能性がある。
【０００６】
この発明の目的は、車輪がスリップ傾向にあることを迅速かつ正確に判断できて、車両の制動距離を短縮できるアンチロックブレーキ制御装置を提供することである。
【課題を解決するための手段】
【０００７】
この発明のアンチロックブレーキ制御装置１２は、車輪２と同軸に配置されたブレーキロータ３と、このブレーキロータ３に接触させる摩擦材４と、この摩擦材４を動作させる摩擦材駆動機構５とを備えたブレーキ装置１を制御するアンチロックブレーキ制御装置１２であって、
前記車輪２の角度、角速度、および角加速度の何れか１つ以上を推定する車輪運動推定手段１３と、
この車輪運動推定手段１３の推定結果を用いて接地面に対する前記車輪の滑り状態を推定する滑り推定手段１４と、
この滑り推定手段１４により推定された前記車輪の滑り状態に応じて前記摩擦材駆動機構に制動力を低下させる指令を与えるアンチロック制御手段１５とを備え、
前記滑り推定手段１４は、前記車輪運動推定手段の推定結果に対する遅れ補償を行う遅れ補償器１７ａ，１７ｂを１つ以上有し、前記車輪の滑り状態の推定結果として、遅れ補償につき互いに異なる複数の推定結果を出力し、
前記アンチロック制御手段１５は、前記滑り推定手段１４から出力された前記複数の推定結果の比較を含む所定の判断の結果によって前記制動力を低下させる指令を与える、
ことを特徴とする。
なお、前記「所定の判断」は、適宜定められた判断である。
【０００８】
この構成によると、前記滑り推定手段１４は、前記車輪運動推定手段１３の推定結果に対する遅れ補償を行う遅れ補償器１７ａ，１７ｂを１つ以上有し、車輪２の滑り状態の推定結果として、遅れ補償につき互いに異なる複数の推定結果を出力する。前記アンチロック制御手段１５は、その出力された前記複数の推定結果の比較を含む所定の判断の結果によって前記制動力を低下させる指令を与える。
このように遅れ補償につき互いに異なる複数の推定結果を比較するため、車輪２がスリップ傾向にあることを正確に判断でき、閾値を小さくしても判断を誤ることがなく、そのため迅速に判断できる。その結果、車両の制動距離を短縮できる。
【０００９】
この発明において、前記滑り推定手段１４は、前記遅れ補償器１７ａ，１７ｂとして、周波数特性の互いに異なる二つ以上の遅れ補償器１７ａ，１７ｂを有し、前記アンチロック制御手段１５は、前記複数の推定結果の比較を、前記異なる遅れ補償器１７ａ，１７ｂを介した推定結果の差分、またはこの差分の積算値の何れかによって行うようにしても良い。
このように周波数特性の異なる二つ以上の遅れ補償器１７ａ，１７ｂを設け、これら二つ以上の遅れ補償器１７ａ，１７ｂの推定結果の差分を用いることで、より一層、迅速かつ正確に、車輪がスリップ傾向にあることを判断できる。スリップ判定が速いことにより、車体に対する車輪速の乖離が小さく、より望ましいスリップ状態、すなわち制動力が最大に得られるスリップ状態に保持できる。前記差分はそのまま比較しても良いが、積算値を求めてその積算値を比較すれば、車輪がスリップ傾向にあることをより正確に判断できる。
【００１０】
この発明において、前記アンチロック制御手段１５は、前記複数の推定結果の比較を、前記遅れ補償器１７ａ，１７ｂを介した前記滑り推定結果と、前記遅れ補償器１７ａ，１７ｂを介さない前記推定結果との差分、またはこの差分の積算値との何れかによって行うようにしても良い。
このように、遅れ補償器１７ａ，１７ｂを介した滑り推定結果と、遅れ補償器１７ａ，１７ｂを介さない推定結果との差によっても、遅れ補償器１７ａ，１７ｂを介さない推定結果と閾値との比較で判断する場合に比べて、車輪がスリップ傾向にあることを迅速かつ正確に判断できる。
【００１１】
この発明において、前記遅れ補償器１７ａ，１７ｂが、運動方程式を介した推定出力と前記遅れ補償器からの出力との誤差補正フィードバック要素を含む状態推定器であっても良い。
このような状態推定器とした場合、スリップ傾向にあることをより一層、迅速かつ正確に判断できる。
【００１２】
この発明において、前記遅れ補償器１７ａ，１７ｂが、所定の周波数を超える周波数を減衰させるローパスフィルタであっても良い。
ローパスフィルタであると、遅れ補償器１７ａ，１７ｂを簡素な構成とできる。
【００１３】
この発明において、前記アンチロック制御手段１５は、前記滑り推定手段１４から出力された前記複数の推定結果の比較による判断よりも前に、前記滑り推定手段１４から出力された遅れ補償を行っていない出力が閾値以上となる場合も、前記制動力を低下させる指令を与えるようにしても良い。
これにより、明らかにスリップ傾向にあるときに、遅れ補償の演算時間を伴うことなくより迅速にアンチロック制御を行うことができる。
【００１４】
この発明において、前記ブレーキ装置が電動ブレーキ装置であっても良い。
電動ブレーキは、モータを駆動源とするため応答性が良く、この発明のアンチロックブレーキ制御装置におけるスリップ傾向にあることを迅速かつ正確に判断できるという効果がより有効に発揮される。
【発明の効果】
【００１５】
この発明のアンチロックブレーキ制御装置は、車輪と同軸に配置されたブレーキロータと、このブレーキロータに接触させる摩擦材と、この摩擦材を動作させる摩擦材駆動機構とを備えたブレーキ装置を制御するアンチロックブレーキ制御装置であって、前記車輪の角度、角速度、および角加速度の何れか１つ以上を推定する車輪運動推定手段と、この車輪運動推定手段の推定結果を用いて接地面に対する前記車輪の滑り状態を推定する滑り推定手段と、この滑り推定手段により推定された前記車輪の滑り状態に応じて前記摩擦材駆動機構に制動力を低下させる指令を与えるアンチロック制御手段とを備え、前記滑り推定手段は、前記車輪運動推定手段の推定結果に対する遅れ補償を行う遅れ補償器を１つ以上有し、前記車輪の滑り状態の推定結果として、遅れ補償につき互いに異なる複数の推定結果を出力し、前記アンチロック制御手段は、前記滑り推定手段から出力された前記複数の推定結果の比較を含む所定の判断の結果によって前記制動力を低下させる指令を与えるため、車輪がスリップ傾向にあることを迅速かつ正確に判断できて、車両の制動距離を短縮できる。
【図面の簡単な説明】
【００１６】
【図１】この発明の一実施形態に係るアンチロックブレーキ制御装置の概念構成を示すブロック図である。
【図２】同アンチロックブレーキ制御装置の作用の説明図である。
【図３】（Ａ），（Ｂ）はそれぞれ同アンチロックブレーキ制御装置のアンチロック制御波形の各例を示すグラフである。
【図４】同アンチロックブレーキ制御装置におけるアンチロック制御手段の動作例の流れ図である。
【図５】同アンチロックブレーキ制御装置の遅れ補償器であるフィルタの構成例を示すブロック図である。
【図６】同アンチロックブレーキ制御装置の遅れ補償器であるフィルタの他の構成例を示すブロック図である。
【図７】同フィルタの周波数特性の例を示す説明図である。
【図８】同アンチロックブレーキ制御装置の制御対象となるブレーキ装置の一例の説明図である。
【発明を実施するための形態】
【００１７】
この発明の一実施形態を図面と共に説明する。図１は、自動車等の車両の全体のブレーキシステムを示す。ブレーキ装置１は、車両の全輪、つまり前輪となる左右２輪および後輪となる左右２輪に設置される。このブレーキ装置１は、車輪２と同軸に配置されたブレーキロータ３と、このブレーキロータ３に接触させる摩擦材４と、この摩擦材４を動作させる摩擦材駆動機構５とを備える。ブレーキロータ３は、ディスク型であっても、ドラム型であっても良い。摩擦材４は、ブレーキパッドまたはブレーキシュー等からなる。摩擦材駆動機構５は、電動式であっても油圧式であっても良いが、図示の例は電動ブレーキ装置であり、電動のモータ６と、このモータ６の回転を摩擦材４の往復直線動作に変換するボールねじ装置や遊星ローラねじ機構等の直動機構７とで主に構成される。図８にブレーキ装置１の具体例を示す。ブレーキ装置１の摩擦材駆動機構５は図８に示すように、モータ６の回転は、ギヤ列等の減速機構５ａを介して直動機構７に伝達するようにしても良い。
【００１８】
図１において、各ブレーキ装置１に対してブレーキ制御装置８がそれぞれ設けられている。ブレーキペダル等のブレーキ操作手段９から入力された制動指令は、車両の全体を制御するＥＣＵ（電子制御ユニット）１０に備えられた制動指令分配手段１１から各ブレーキ制御装置８に分配され、ブレーキ制御装置８によってブレーキ装置１が制御される。
【００１９】
各ブレーキ制御装置８は、ＥＣＵ１０に備えられた制動指令分配手段１１から与えられた制動指令によって前記摩擦材駆動機構５を制御するブレーキ動作基本制御手段１１と、アンチロックブレーキ制御装置１２とを備えている。アンチロックブレーキ制御装置１２は、ＥＣＵ１０等に設けても良いが、この実施形態では個々のブレーキ制御装置８に設けられている。
【００２０】
アンチロックブレーキ制御装置１２は、車輪運動推定手段１３、滑り推定手段１４、およびアンチロック制御手段１５を備え、前記滑り推定手段１５には滑り推定部１６と、それぞれ遅れ補償器である第１のフィルタ１７ａ，および第２のフィルタ１７ｂとが設けられている。なお、以下の説明において、第１のフィルタ１７ａをフィルタ(1) 、第２のフィルタ１７ｂをフィルタ(2) とそれぞれ称する場合がある。
【００２１】
前記車輪運動推定手段１３は、車輪２の回転の角度、角速度、および角加速度の何れか１つ以上を推定する手段である。車輪運動推定手段１３は、例えば、車輪２の車輪用軸受（図示せず）や車軸等に対して設置された車輪回転検出手段１８によって、前記角度、角速度、角加速度等を推定する。前記角速度は、車輪換算すれば車輪速となる。車輪速の検出方法について、市販車両においては１回転当たり３０〜５０程度のパルス出力におけるエッジ間隔を測定する手法が一般的であるが、例えば一般的なロータリーエンコーダやレゾルバ等を前記車輪回転検出手段１８として用いても良い。
【００２２】
前記滑り推定手段１５は、前記車輪運動推定手段１３の推定結果を用いて接地面に対する前記車輪２の滑り状態を推定する手段であり、基本的には、滑り推定部１６によって車体速ωＶと車輪速ωとの比率であるスリップ率Ｓ１を推定する。車体速ωＶは、車速検出手段１９から得る。車速検出手段１９は、直接に車体速ωＶを検出するセンサに限らず、従動輪の回転速度から車体速ωＶを検出するものであっても良い。
【００２３】
前記スリップ率Ｓ１の具体的な導出式としては、例えば、非スリップ状態を０、車輪がロックした完全スリップ状態を１として、以下の通り導出しても良い。
Ｓ１＝（ωＶ−ω）・ωＶ−１
【００２４】
前記各フィルタ遅れ補償器であるフィルタ(1) ，(2) は、前記車輪運動推定手段１３の推定結果に対する遅れ補償を行う手段であり、この実施形態では前記滑り推定部１６の推定結果に対して遅れ補償を行う。前記各フィルタ(1) ，(2) は、例えば、後に図５と共に説明する運動方程式を介した推定出力と実際の出力すなわち前記遅れ補償器からの出力との誤差補正フィードバック要素を含む状態推定器で構成され、または図６のようにローパスフィルタで構成される。前記ローパスフィルタは、所定の周波数を超える周波数を減衰させるフィルタである。前記２つのフィルタ(1) ，(2) は、互いに周波数特性が異なる他は同じ構成であり、第１のフィルタ(1) は、第２のフィルタ(2) よりも高い周波数特性を有する。
【００２５】
前記アンチロック制御手段１５は、前記滑り推定手段１４から出力された前記複数の推定結果の比較を含む所定の判断の結果によって前記制動力を低下させる指令を摩擦材駆動機構５へ与える。この場合に、アンチロック制御手段１５は、前記複数のフィルタ(1) ，(2) の推定結果の比較を行うにつき、前記異なるフィルタ(1) ，(2) を介した推定結果の差分、またはこの差分の積算値の何れかを閾値と比較することで行う。アンチロック制御手段１５の具体的な処理例は、後に図４と共に説明する。アンチロック制御手段１５において、前記制動力を低下させる指令は、前記ブレーキ動作基本制御手段１１を介して摩擦材駆動機構５へ与えるようにしても、またブレーキ動作基本制御手段１１を解さずに直接に摩擦材駆動機構５に与えるようにしても良い。
【００２６】
上記構成の動作を説明する。前記滑り推定部１６による前記スリップ率の演算値、およびこのスリップ率にフィルタ(1),(2) を介した波形を図２に示す。ここでフィルタ(1) ，(2) の応答性として、フィルタ(1) はフィルタ(2) より高速なフィルタである。また、前記フィルタ(1) とフィルタ(2) の差分を同図中に示す。ここで、前記スリップ率の上昇傾向が強いほど、フィルタ(1) はフィルタ(2) に対して上側に大きく乖離するため、前記の差分によりスリップ傾向を判断することができる。なお、前記のスリップ傾向の判断について、前記の差分のほかに、フィルタ(1) とフィルタ(2) の出力するスリップ率の比率や、差分の積算値等を用いても良い。
【００２７】
同図において、車輪の過スリップ状態を判定する例を拡大図に示す。例えば導出したスリップ率に直接閾値を適用する場合、ノイズの影響や路面状態等の各種推定誤差を加味した閾値に決定され、図中のａのタイミングで過スリップが判定される。また、フィルタ(1) に閾値を適用する場合、ａの判定に対してノイズによる影響が緩和されて、ｂのタイミングで過スリップが判定される。これらに対し、例えばフィルタ(1) の閾値に加えて、前記のフィルタ(1) 、フィルタ(2) の差分の閾値をＡＮＤ条件として用いる場合、前記の通りスリップ傾向の強さを判定する分だけ、閾値は前記ａ、ｂに対して厳密に設定できるため、図中ｃのタイミングで検出が可能となる。
【００２８】
なお、この例では２本のラインの傾向判断を行っているが、３本のライン以上の応答速度の異なる信号の比較をもって傾向判断を行っても良い。その場合、各ラインの上下関係など複数のパターンにより、傾向判断の自由度が向上する。
【００２９】
図３は、アンチロック制御波形の一例を示す。同図（ａ）は、この実施形態を適用し、図２におけるｃのタイミングにおいて過スリップ判定を行う際の例を示す。
同図（ｂ）は、図２におけるｂないしｃのような、単純な閾値比較による例を示す。  同図（ｂ）と比較して、同図（ａ）は過スリップ判定が速いことにより、車体速に対する車輪速の乖離が小さく、より望ましいスリップ状態、つまり最大のブレーキ力が得られるスリップ状態に保持できる。
【００３０】
図４は、前記アンチロック制御手段１５が行う動作の例を示す。なお同図中において、スリップ率およびフィルタ演算は、図１の滑り推定手段が行う処理である。
ステップＳ１において、スリップ率Ｓ１を滑り推定部１６（図１）が導出する。
その導出されたスリップ率Ｓ１を閾値Ｓ１LIMRと比較し（ステップＳ２）、スリップ率Ｓ１が閾値Ｓ１LIMR以上であれば、過スリップと判定する（ステップＳ８）。過スリップと判定した場合は、ブレーキ装置１に制動力を低下させる指令を与える。
【００３１】
ステップＳ２において、スリップ率Ｓ１が閾値Ｓ１LIMR以上でない場合は、フィルタ(1) によるスリップ率Ｓ１LPF1の導出（ステップＳ３）、およびフィルタ(2) によるスリップ率Ｓ１LPF2の導出（ステップＳ４）を行わせ、その差分ΔＳ１を演算する（ステップＳ５）。この差分ΔＳ１を第１の閾値Ｓ１th1 と比較する（ステップＳ６）。差分ΔＳ１が第１の閾値Ｓ１th1 以上でない場合は、リターンして図４の処理を繰り返す。
【００３２】
差分ΔＳ１が第１の閾値Ｓ１th1 以上である場合は、差分ΔＳ１を第２の閾値Ｓ１th1 と比較し（ステップＳ７）、第２の閾値Ｓ１th2 以上でない場合は、リターンして図４の処理を繰り返す。第２の閾値Ｓ１th2 以上である場合は、過スリップと判定し（ステップＳ８）し、ブレーキ装置１に制動力を低下させる指令を摩擦材駆動機構５に与える。
【００３３】
このように、スリップ率につき互いに異なる複数の遅れ補償を行った推定結果を比較するため、車輪２がスリップ傾向にあることを正確に判断でき、閾値を小さくしても判断を誤ることがなく、そのため迅速に判断できる。その結果、車両の制動距離を短縮できる。
【００３４】
図５は、前記フィルタ(1) １７ａ、フィルタ(2) １７ｂの構成例を示す。第１および第２のフィルタ(1) ，(2) は、互いに定数が異なる他は同じであるため、一つのフィルタ(1) のみにつき説明する。同図のフィルタ(1) は、状態推定オブザーバを構成する例である。
図において、Ａ，Ｂ，Ｃは、は車輪の運動方程式に基づく状態遷移行列、ｕ（ｋ）はブレーキ力、ｙ（ｋ）は車輪速である。ｘ（ｋ）はフィルタ状態量である。Ｚ−１は１サンプル遅れを示す。Ｌはオブザーバゲインを示しており、Ａ−ＬＣの固有値によって誤差収束条件が決定される。オブザーバの推定誤差を  e = [推定値 Cx] - [実測値 y]  と置き、式展開すると
e(k+1)=(A-LC)e(k)
となり、A-LCの固有値がそのまま収束特性に等しくなる。
【００３５】
前記のフィルタ(1) ，(2) を構成するに当たり、例えば状態遷移行列における慣性に関連するパラメータを調整することができる。また、オブザーバゲインＬの値によって調整しても良く、これらを併用しても良い。
【００３６】
なお、前記Ａ，Ｂ，Ｃである車輪の運動方程式に基づく状態遷移行列は、一例を挙げると次の式である。最も簡潔な線形状態オブザーバとして、次式を用いることができる。
【数１】
0006010651.tif 000002
tsはサンプリング時間、Ｊは慣性を示す。ｙは検出した車輪速、Ｌはオブザーバゲインであり、Ｌの値を変化させることでオブザーバの収束特性が変化する。ωは車輪速、τxは前後力トルクの推定値を示す。ｕは推定ブレーキ力を示し、例えばブレーキトルクや、ブレーキ摩擦材押圧力に摩擦材のμおよびブレーキ有効径を乗じた値を用いることができる。
【００３７】
前記のフィルタ(1) ，(2) の構成は、この他に、例えば図６に示すように、一般的なローパスフィルタによって実装しても良く、またサンプリング数の違う移動平均線によって実装しても良い。
【００３８】
図７は、前記フィルタ(1) ，(2) の特性の一例を示す。高速なフィルタ(1) については、フィルタ(2) よりも高周波領域におけるゲインが高くなるよう調整すればよい。
【００３９】
なお、前記実施形態では前記滑り推定手段１４に複数のフィルタ(1) ，(2)を設けたが、前記滑り推定手段１４に設ける遅れ補償器（フィルタ）を一つとし、前記アンチロック制御手段１５は、前記複数の推定結果の比較を、前記遅れ補償器を介した前記滑り推定結果と、前記遅れ補償器を介さない前記推定結果との差分、またはこの差分の積算値との何れかによって行うようにしても良い。その場合にも、前述のフィルタ(1)と同じ構成の遅れ補償器を用いることができる。
【００４０】
以上、実施形態に基づいてこの発明を実施するための形態を説明したが、今回開示された実施の形態はすべての点で例示であって制限的なものではない。この発明の範囲は上記した説明ではなくて特許請求の範囲によって示され、特許請求の範囲と均等の意味および範囲内でのすべての変更が含まれることが意図される。
【符号の説明】
【００４１】
１…ブレーキ装置
２…車輪
３…ブレーキロータ
４…摩擦材
５…摩擦材駆動機構
８…ブレーキ制御装置
１２…アンチロックブレーキ制御装置
１３…車輪運動推定手段
１４…滑り推定手段
１５…アンチロック制御手段
１６…滑り推定部
１７ａ，１７ｂ…フィルタ（遅れ補償器）
【要約】
【課題】  車輪がスリップ傾向にあることを迅速かつ正確に判断できて、車両の制動距離を短縮できるアンチロックブレーキ制御装置を提供する。
【解決手段】  車輪２の角度、角速度、および角加速度の何れか１つ以上を推定する車輪運動推定手段１３と、その推定結果を用いて車輪の滑り状態を推定する滑り推定手段１４を備える。その推定された車輪の滑り状態に応じてブレーキ装置１に制動力を低下させる指令を与えるアンチロック制御手段１５を備える。前記滑り推定手段１４は、車輪運動推定手段１３の推定結果に対する遅れ補償を行う一つまたは複数のフィルタ等の遅れ補償器１７ａ，１７ｂを有する。アンチロック制御手段１５は、滑り推定手段１４から出力された複数の推定結果の比較を含む所定の判断の結果によって前記制動力を低下させる指令を与える。
【選択図】        図１【図１】
0006010651.tif 000003
【図２】
0006010651.tif 000004
【図３】
0006010651.tif 000005
【図４】
0006010651.tif 000006
【図５】
0006010651.tif 000007
【図６】
0006010651.tif 000008
【図７】
0006010651.tif 000009
【図８】
0006010651.tif 000010